(57)【要約】　　　（修正有）【課題】出水管の構造の結合安定性、止水球の動きやすさ、止水効果、製造の利便性を向上させることができるペット用飲料水器の出水管を提供する。【解決手段】本体の底の１つの側に底と通じる１つの導水管１１が斜めに設置され、導水管の底端には、１つの止水管２０がネジ結合により設置され、止水管の底縁内壁内には１つの止水球３０が設置された構造であり、錐縮状の１つの導滑面２１が止水管の中段内壁上に形成され、導滑面の底端には１つの導滑段２２が形成され、導滑段は適当な幅を有し、孔径が止水球の直径より少しだけ大きく、導滑段の底端に凹面状の空間形体を有する１つの凹環溝２３が形成され、凹環溝内には１つのＯ型環４０が設置され、即ちＯ型環内側縁孔径は導滑段の孔径及び止水球の直径より小さい構造とされる。【選択図】　　図１
0003098579.tif 000002
【実用新案登録請求の範囲】
【請求項１】
１つの本体の底の１つの側に底と通じる１つの導水管が斜めに設置され、
上記導水管の底端には、１つの止水管がネジ結合により設置され、
上記止水管の底縁内壁内には、１つの止水球が設置された構造であり、
錐縮状の１つの導滑面が、上記止水管の中段内壁上に形成され、
上記導滑面の底端には、１つの導滑段が形成され、
上記導滑段は、適当な幅を有し、孔径が上記止水球の直径より少しだけ大きく、上記導滑段の底端に凹面状の空間形体を有する１つの凹環溝が形成され、
上記凹環溝内には、１つのＯ型環が設置され、
上記Ｏ型環は、内側縁が上記凹環溝より突出する、即ち、上記Ｏ型環内側縁孔径は上記導滑段の孔径及び上記止水球の直径より小さいことにより、上記止水球をストップさせることを特徴とするペット用飲料水器の出水管。
【請求項２】
上記本体は、ネジ溝を有し、上記ネジ溝により給水容器を設置させることを特徴とする請求項１記載のペット用飲料水器の出水管。
【請求項３】
上記本体は、一種の一体式給水容器を具備することを特徴とする請求項１又は２記載のペット用飲料水器の出水管。
【請求項４】
上記導滑面は、角を具備する空間形態でも適応可能であることを特徴とする請求項１乃至３いずれか一項記載のペット用飲料水器の出水管。
【請求項５】
上記導滑段は、出水量の大小に応じて、長さ又は幅を決定することを特徴とする請求項１乃至４いずれか一項記載のペット用飲料水器の出水管。
【考案の詳細な説明】
【０００１】
【考案の属する技術分野】
本考案はペット用飲料水器の出水管に係るものであり、特に、ペットが飲む飲料水をスムーズに流出させるためにペット用飲料水器の出水管の構造を改良したペット用飲料水器の出水管に係るものである。
【０００２】
【従来の技術】
図９は、従来のペット用飲料水器の出水管を示す断面図である。従来のペット用飲料水器の止水構造は、図９に示すように、従来の飲料水器本体の底部に斜めに設置された出水管５０の末端に、１つの外接管５１がネジ結合設置されている。この外接管５１内壁の出水管５２付近に１つのステムワッシャー５３が設置され、更に、１つの金属球５４が、外接管５１内に設置される構造となっている。従来のペット用飲料水器は、金属球５４がステムワッシャー５３に当たることにより止水できるが、ペットが金属球５４を舐めることにより、金属球５４は外接管５１内部を斜め上方向に押し上げられる為、金属球５４はステムワッシャー５３を離脱して水が流失し、ペットに飲料水を供給することができる。しかしながら、この種の従来の止水構造は下記に示す問題があり、改良が待たれている。
【０００３】
【考案が解決しようとする課題】
図９に示すように、ステムワッシャー５３は外接管５１内壁の出水口５２に接近して設置されており、ペットが舌で金属球５４を舐める時、金属球５４は斜め上に移動するが、金属球５４がステムワッシャー５３と摩擦したり、ペットの舌が外接管５１内部に進入しようとする力が加わったりすると、ステムワッシャー５３は上に押しあげられ、これにより、止水の効果がなくなり、飲み水が容易に流れ出てしまうという問題点があった。
【０００４】
また、図１０は、従来のペット用飲料水器の出水管の使用状態を示す断面図である。図１０に示すように、ペット用飲料水器の出水管５０は直立ではなく、斜めに設置されている為、金属球５４は外接管５１内側を垂直に移動し、水を止めるのではなく、斜めになった外接管５１の内壁に沿って移動し、金属球５４が外接管５１内壁とステムワッシャー５３とに接触した時に形成される引っ掛かり底部５５に引っ掛かり、ステムワッシャー５３と密着できず（即ち、止水できず）水が継続して流失してしまう。従って、確実な止水ができないという問題点があった。
【０００５】
また、図１０に示すように、ペットが金属球５４を舐め、金属球５４が上方向に押される時、金属球５４とステムワッシャー５３の隙間が瞬間的に大きくなり、内部の飲料水が大量に流出してしまう。従来のペット用飲料水器の出水管の構造では、小型ペットが使用する時、出水量が過多になり、小型ペットには適さないという問題点があった。
【０００６】
上記の問題点を解決するために、一種のペット用飲料水器の止水構造を改良した例を以下に示す。図１１は、従来のペット用飲料水器の出水管の他の例を示す断面図である。図１１に示すように、従来のペット用飲料水器は、主に、上錐環面６２１、下錐環面６２２とストッパー上端６２３、ストッパー下端６２５と錐環状止水ワッシャー６３とで構成されている。錐環状止水ワッシャー６３は、外接管６２内に安定固定されている。止水球６４は移動しやすく、又、密着しやすい構造により、止水効果を改善することができる構造であるが、実際の使用時には、下記の問題点があり、更に改良の必要がある。
【０００７】
先ず、第一に錐環状止水ワッシャー６３の止水効果は極めてよいが、反対に水圧により、止水球６４が錐環状止水ワッシャー６３に食い込み密着しすぎると言う現象が生じ、ペットが水を飲む時、止水球６４を舐め、止水球６４を上に押し上げることにより、水が流出してペットが水を飲むことができる。しかしながら、止水球６４が密着しすぎて、舐めても止水球６４が動きにくいという状況が発生することがあり、特に、小型ペットの場合は舐めても動かないと言う現象が生じてしまうという問題点があった。
【０００８】
第二に、下錐環面６２２と錐環状止水ワッシャー６３の相対する面が密着するようには、精密度の高いデザインと製造技術とが必要であるが、製造コストが高くなってしまう。その割りに完成品が上記の如く完璧さに欠ける商品である為、再度検討する必要があるという問題点があった。
【０００９】
従って、従来のペット用飲料水器の出水管の構造は、錐環状止水ワッシャー６３の安定固定性と、止水球６４の動きやすさと、止水効果と、製造の利便性に欠けると言う問題を解決しておらず、如何に一種の上記欠点を改良した構造のペット用飲料水器を開発するかが、関係業界では開発目標となっている。
【００１０】
また、前記の目的を図るために、小型犬などの様々なペットが飲む飲料水をスムーズに、適度な量で流出させることができると共に、確実に止水することができると共に、確実に止水することができ、延いては、出水管の構造の結合安定性、止水球の動きやすさ、止水効果、製造の利便性を向上させることができるペット用飲料水器の出水管を提供することを目的とする。
【００１１】
【課題を解決するための手段】
前記の目的を図るために、本考案は、１つの本体の底の１つの側に底と通じる１つの導水管が斜めに設置され、上記導水管の底端には、１つの止水管がネジ結合により設置され、上記止水管の底縁内壁内には、１つの止水球が設置された構造であり、錐縮状の１つの導滑面が、上記止水管の中段内壁上に形成され、上記導滑面の底端には、１つの導滑段が形成され、上記導滑段は、適当な幅を有し、孔径が上記止水球の直径より少しだけ大きく、上記導滑段の底端に凹面状の空間形体を有する１つの凹環溝が形成され、上記凹環溝内には、１つのＯ型環が設置され、上記Ｏ型環は、内側縁が上記凹環溝より突出する、即ち、上記Ｏ型環内側縁孔径は上記導滑段の孔径及び上記止水球の直径より小さいことにより、上記止水球をストップさせることにより、小型犬などの様々なペットが飲む飲料水をスムーズに、適度な量で流出させることができると共に、確実に止水することができると共に、確実に止水することができ、延いては、出水管の構造の結合安定性、止水球の動きやすさ、止水効果、製造の利便性を向上させることができる。
【００１２】
また、前記の目的を図るために、本体はネジ溝を有し、上記ネジ溝により給水容器を設置させることにより、小型犬などの様々なペットに応じて容量の異なる給水容器を取り換えることができる。
【００１３】
また、前記の目的を図るために、上記本体は、一種の一体式給水容器を具備することにより、小型犬などの様々なペットが飲む飲料水をスムーズに、適度な量で流出させることができると共に、確実に止水することができる。
【００１４】
また、前記の目的を図るために、上記導滑面は、角を具備する空間形態でも適応可能であることにより、小型犬などの様々なペットが飲む飲料水をスムーズに、適度な量で流出させることができると共に、確実に止水することができる。
【００１５】
また、前記の目的を図るために、上記導滑段は、出水量の大小に応じて、長さ又は幅を決定することにより、小型犬などの様々なペットが飲む飲料水をスムーズに、適度な量で流出させることができると共に、確実に止水することができる。
【００１６】
【考案の実施の形態】
以下に添付図面を参照して本考案のある好適な実施の形態を詳細に説明するが、それらの構成は本考案の構造の絶対的な制限にならない。図１は、本考案の第１実施例におけるペット用飲料水器を示す斜視図である。図２は、本考案の第１実施例におけるペット用飲料水器の出水管を示す分解斜視図である。図３は、本考案の止水球がＯ型環に嵌り、飲料水が止水された状態を示す断面図である。図４は、本考案の止水球が舐められて移動し、飲料水が出水された状態を示す断面図である。図１、２、３、４は、本考案のペット用飲料水器の出水管の構造を示す実施例であり、１つの本体１０の底の１つの側に底と通じる１つの導水管１１が斜めに設置されている。また、導水管１１の底端には、１つの止水管２０がネジ結合により設置され、止水管２０底縁内壁内には、１つの止水球３０が設置された構造である。主な特徴は、錐縮状の１つの導滑面２１が止水管２０中段内壁上に形成され、導滑面２１底端に１つの導滑段２２が形成され、導滑段２２は適当な幅を有する。また、孔径が止水球３０の直径より少しだけ大きく、導滑段２２底端に凹面状の空間形体を有する１つの凹環溝２３が形成され、凹環溝２３内に１つのＯ型環４０が設置され、Ｏ型環４０は内側縁が上記凹環溝２３より突出する（即ち、Ｏ型環４０内側縁孔径は導滑段２２孔径及び止水球３０の直径より小さい）ことにより、図３、４に示すように、止水球３０をストップさせることができる。従って、上記構造により、Ｏ型環４０の結合安定性と、止水球３０の動きやすさと、止水効果と、製造の利便性とを改善することができる。
【００１７】
尚、本体１０は、図１に示すようにネジ溝１２を有し、ネジ溝１２により給水容器１３を設置する構造でもよい。これにより、ペットに応じて容量の異なる給水容器を取り換えることができる。
【００１８】
図５は、本考案の給水容器の構造形態を示す斜視図である。図５に示すように、本体１０は、一種の一体式給水容器１４を具備する本体１０１でもよい。
【００１９】
図６は、本考案の動滑面の変形例を示す断面図である。図７は、本考案の導滑段の長さを短くすることにより、出水量を多くした状態を示す断面図である。図８は、本考案の導滑段の長さを長くすることにより、出水量を少なくした状態を示す断面図である。図６に示すように、導滑面２１は角２４を具備する空間形態でも適応可能であり、空間形態の構造は、（カッターの種類や形式、回転速度等の問題があるため）製造が容易ではない割りに、（錐縮状空間形態に比べ）止水球３０の動きやすさと止水効果が劣ると言う問題があり、業界では商品化されないと予測されるが、他者が申請を行なっても本考案の申請の範囲内である。
【００２０】
図７、８に示すように、導滑段２２は、出水量の大小に応じて、長さ（幅）を決定することができる（詳しくは後述）。図７に示すように、導滑段２２の長さ（幅）を短くした場合、止水球３０がペットの舌で上に押し上げられる時、導滑段２２の幅（距離）が短い為、止水球３０は導滑面２１に容易、且つ、瞬時に到達できる。これにより、止水球３０と導滑面２１の間の隙間Ａ（Ａ１）は上記止水球３０が上に押されれば押されるほど迅速に拡大し、出水量Ａ（Ｗ１）は多くなり、比較的出水量の多いペット用飲料水器を提供することができる。
【００２１】
図８に示すように、導滑段２２０の長さ（幅）を長くした場合、止水球３０がペットの舌で上に押し上げられる時、導滑段２２０の幅（距離）が長い為、上記と同じ舐める力で止水球３０を上に押し上げる時、止水球３０と導滑面２１の間の隙間Ｂ（Ａ２）は図７に示す隙間Ａ（Ａ１）より小さくなる。即ち、出水量Ｂ（Ｗ２）は少なくなり、比較的出水量の少ないペット用飲料水器を提供することができる。
【００２２】
従って、業者は生産すべきペット用飲料水器を大型ペット用にするか、小型ペット用にするかによって、導滑段２２、２２０の長さ（幅）を変えることにより、出水量の異なるペット用飲料水器を生産することができる。（図９、１０が示す如く、従来の構造では達成することができなかった。）
本考案のペット用飲料水器を使用時、図３に示すように、通常の状態（ペットが水を飲んでいない状態）では、止水管２０内部の止水球３０は重力と水圧の影響を受け、下方に移動する力がかかり、出水口手前のＯ型環４０に嵌まり、止水状態になっている。図４に示すように、ペットが水を飲む為に、止水球３０を舐める時、止水球３０は斜め上方に押し上げられ、止水管２０内の導滑面２１上に移動する為、本体１０内部にある飲料水が止水球３０と止水管２０との隙間より流出することにより、飲料水を供給することができ、ペットが舐める動作をやめた時、止水球３０は導滑面２１の斜面に沿って下に移動し、何の障害もなく、そのまま速やかにＯ型環４０に嵌まり、出水を止めることができる。
【００２３】
このように、本考案のＯ型環４０が凹環溝２３内に設置されることにより、密着固定でき、従来のステムワッシャーが上方向に移動しやすく、止水効果を改善することができる。
【００２４】
また、導滑面２１の設置により、止水球３０が舐められて移動する時、元の位置への回復が非常にスムーズになり、従来の構造による止水球３０が途中で止まってしまうという問題を確実に改善することができる。
【００２５】
また、本考案の止水球３０を止める為のＯ型環４０を設置する凹環溝２３を非斜面上に設置する構造により、従来の錐環状止水ワッシャー６３と下錐環面６２２とからなる構造の止水方法の下に押されれば押れるほど、止水球３０が食い込んでしまうという問題がない為、止水球３０は嵌まりやすく、且つ、外れやすい為、ペットが飲料水を飲む時、舐めても動かない状況を発生させ難くすることができる。
【００２６】
また、本考案のＯ型環４０を設置する為の凹環溝２３を非斜面上に形成する構造は従来の錐環状止水ワッシャー６３と下錐環面６２２のように特別な製造方法や、精密に合わせる必要はなく、更に、Ｏ型環４０は普通どこでも手に入る部品であり、非斜面上に形成する凹環溝２３は下錐環面６２２に比べて、簡単に形成及び精密度を達成することができる構造で、産業利用しやすいと言う利点がある。
【００２７】
また、導滑段２２は設定する長さを変化させることができ、異なる長さの導滑段２２を提供することにより、飲料水の出水量を調節することができ、従来の構造の金属球５４が舐められ、上に押し上げられる時、飲料水の出水量が突然大きくなると言う問題を改善することができ、小型犬などの様々なペットのサイズに合わせた出水量のペット用飲料水器を提供することができる。
【００２８】
尚、上記ペット用飲料水器の出水管は上記の構成に限定されることなく、本考案のペット用飲料水器の出水管を変形及び改良した構成においても適応可能である。
【００２９】
【考案の効果】
前記の説明と図面の掲載からわかるように、本考案のペット用飲料水器の出水管において、一つの給水容器と、給水容器の底端と連結する一つの出水管と、出水管の底端とネジ結合され、内部に止水球を有する一つの制水管とを有し、出水管の内部に一つの導水管が設置され、導水管は内部を貫通する中空通道を有し、導水管の外壁は出水管内壁と適当な隙間を保持する導流通道を有し、導流通道は給水容器および制水管とが通じる構造により、ペットが飲料水を飲む為に止水球を舐める際に流出する給水容器からの飲料水を適度な量でスムーズに流出させることができる。
【図面の簡単な説明】
【図１】本考案の第１実施例におけるペット用飲料水器を示す斜視図である。
【図２】本考案の第１実施例におけるペット用飲料水器の出水管を示す分解斜視図である。
【図３】本考案の止水球がＯ型環に嵌り、飲料水が止水された状態を示す断面図である。
【図４】本考案の止水球が舐められて移動し、飲料水が出水された状態を示す断面図である。
【図５】本考案の給水容器の構造形態を示す斜視図である。
【図６】本考案の動滑面の変形例を示す断面図である。
【図７】本考案の導滑段の長さを短くすることにより、出水量を多くした状態を示す断面図である。
【図８】本考案の導滑段の長さを長くすることにより、出水量を少なくした状態を示す断面図である。
【図９】従来のペット用飲料水器の出水管を示す断面図である。
【図１０】従来のペット用飲料水器の出水管の使用状態を示す断面図である。
【図１１】従来のペット用飲料水器の出水管の他の例を示す断面図である。
【符号の説明】
１０、１０１　　本体
１１　　　　　　導水管
１２　　　　　　ネジ溝
１４　　　　　　一体式給水容器
２０　　　　　　止水管
２１　　　　　　導滑面
２２、２２０　　導滑段
２３　　　　　　凹環溝
２４　　　　　　角
３０　　　　　　止水球
４０　　　　　　Ｏ型環
５１　　　　　　外接管
５２　　　　　　出水口
５３　　　　　　ステムワッシャー
５４　　　　　　金属球
５５　　　　　　引っ掛かり底部
６３　　　　　　錐環状止水ワッシャー
６４　　　　　　止水球
６２１　　　　　上錐環面
６２２　　　　　下錐環面
６２３　　　　　ストッパー上端
６２５　　　　　ストッパー下端
Ａ１　　　　　　隙間Ａ
Ａ２　　　　　　隙間Ｂ
Ｗ１　　　　　　出水量Ａ
Ｗ２　　　　　　出水量Ｂ
【図１】
0003098579.tif 000003
【図２】
0003098579.tif 000004
【図３】
0003098579.tif 000005
【図４】
0003098579.tif 000006
【図５】
0003098579.tif 000007
【図６】
0003098579.tif 000008
【図７】
0003098579.tif 000009
【図８】
0003098579.tif 000010
【図９】
0003098579.tif 000011
【図１０】
0003098579.tif 000012
【図１１】
0003098579.tif 000013